(57)【要約】【課題】画面を用いたプラント監視表示装置において、操作者が表示したい画面を少ない時間と手間で表示できるようにする。【解決手段】各操作者が表示する画面の表示回数，操作回数を表示記録部４に記録し、表示操作重み係数テーブル６の係数を用いて、表示頻度の高い３つの画面を演算処理部５で演算する。その後、表示頻度の高い３つの画面から関連画面重み係数テーブル７，関連画面テーブル８の係数，関連画面を用いて表示頻度の高い３つの画面に関連性の高い第４の画面を演算処理部５で演算する。演算した結果から表示手段１に表示頻度の高い３つの画面と、前記の３つの画面に関連性の高い第４の画面を表示する。【選択図】図１
2008250514.tif 000002
【特許請求の範囲】
【請求項１】
４画面表示を備えたプラント監視表示装置であって、
操作者が表示した画面の表示回数と、該表示した画面上で当該操作者が操作した操作回数を記録する表示記録部と、
前記表示回数と前記操作回数に基づいて、当該操作者の表示頻度の高い３つの画面を演算する演算処理部と、
前記演算して求めた３つの画面を前記４画面表示の中の３つの箇所に表示する表示手段と、を備え、
前記演算処理部は、
前記３つの画面と関連性のある画面の関連度係数を所定の演算式により演算し、前記演算した結果、前記関連度係数が最大となる第４の画面を関連画面として選定するとともに、前記選定した関連画面を前記４画面表示の中の第４の画面として表示する
ことを特徴とする最適画面呼び出し機能付プラント監視表示装置。
【請求項２】
前記関連画面は、前記表示頻度の高い３つの画面のそれぞれに対して重み付け係数の異なる複数の画面を含むことを特徴とする請求項１に記載の最適画面呼び出し機能付プラント監視表示装置。
【請求項３】
前記関連度係数は、前記重み付け係数の異なる複数の関連画面の関連度係数の和によって求める
ことを特徴とする請求項１または２に記載の最適画面呼び出し機能付プラント監視表示装置。
【発明の詳細な説明】
【技術分野】
【０００１】
本発明は、４画面表示が行われる火力発電所のプラント監視表示装置に関する。
【背景技術】
【０００２】
火力発電所のプラントでは、一つの表示装置に複数の画面（例えば４画面）が表示されるのが通常であるが、従来のプラント監視表示装置の４画面表示は、操作者が表示したい画面をメニュー画面から１つの画面ごとに選択して表示していた。
【０００３】
例えば、４つの表示画面として、配管系統図や警報表示などの情報を表示するプラント監視装置（特許文献１参照）や、１台の表示装置を４画面表示にして複数プラントを同時に監視することを可能とするプラント監視表示装置も提案されている（特許文献２参照）。
【０００４】
【特許文献１】特開２００５−５５９６５号公報
【特許文献２】特開２００１−１２５６２９号公報
【発明の開示】
【発明が解決しようとする課題】
【０００５】
しかしながら、操作者自身が表示画面を選択して表示する従来の方法では、操作者が表示したい画面を表示するまでの操作回数が多くなり、時間がかかるという問題があった。
【０００６】
例えば、火力プラントの例では、まず、全体のメニュー画面を表示すると、そのプラントを運転する上での各機能を示すボタンが表示される。操作者は表示されたボタンの一つを選択する操作を行って様々な画面を表示させるのであるが、この操作によって、例えば全体の配管に関するメニュー画面が表示されるとする。配管の表示画面は多数頁（画面）に及ぶので、その中から必要な頁を選択し、これを表示する。このように最終的に表示したい画面を見つけるまでに、操作者が多くの時間と手間を要するのが従来の方法であった。
【０００７】
本発明の目的は、上記のような課題を解決し、４画面表示における画面選択の手間の省力化を図り、かつ操作者が必要とする最適な画面を選択して、４つの画面に表示することである。
【課題を解決するための手段】
【０００８】
上記課題を解決し本発明の目的を達成するため、本発明は、４画面表示を備えたプラント監視表示装置であって、操作者が表示した画面の表示回数と、該表示した画面上で当該操作者が操作した操作回数を記録する表示記録部と、これら表示回数と操作回数に基づいて、当該操作者の表示頻度の高い３つの画面を演算する演算処理部と、演算して求めた３つの画面を４画面表示の中の３つの箇所に表示する表示手段と、を備え、演算処理部は、更に、表示した３つの画面と関連性のある画面の関係度係数を所定の演算式により演算し、演算した結果、表示した３つの画面に最も関連性が高い第４の画面を関連画面として選定するとともに、この選定した関連画面を前記４画面表示の中の第４の画面として表示することを特徴とする最適画面呼び出し機能付プラント監視表示装置である。
【０００９】
また、本発明の好ましい形態としては、上記関連画面は、表示頻度の高い３つの画面のそれぞれに対して重み付け係数の異なる複数の画面を含むようにし、上記関連度係数は、重み付けの異なる複数の関連画面の関連度係数の和によって求めるようにしている。
【発明の効果】
【００１０】
本発明によれば、一つの表示装置に表示される４つの画面が、過去に表示した表示回数や操作回数に基づいて操作者毎に自動的に選択されるので、操作者が必要とする画面を表示するまでに上述したような手間と時間を必要としないという効果がある。
【発明を実施するための最良の形態】
【００１１】
以下、図面を参照して本発明の実施の形態について説明する。
図１は本発明によるプラント監視表示装置の一実施の形態例を示す構成図である。
【００１２】
図１に示すように、本例におけるプラント監視表示装置は、プラントの状態を４画面表示する表示手段１と、操作者及びその関連情報を入力する操作入力手段２と、これら外部装置（外付け装置）と演算処理装置とのインターフェースとしての役割を担う入出力制御部３とを有している。
このプラント監視表示装置は、更に後述する表示記録部４と、演算処理部５と、表示操作重み係数テーブル６と、関連画面重み係数テーブル７と、関連画面テーブル８とから構成される。
【００１３】
次に、以上のように構成されたプラント監視表示装置の動作について説明する。
まず、プラント監視表示装置を立ち上げると表示手段１の画面に「操作者名を入れてください。」と表示されるので、操作者は、操作入力手段２を使用して操作者名を入力する。この入力された操作者名は入出力制御部３を介して表示記録部４に記録される。
【００１４】
次に、操作者は、操作入力手段２を使用して表示手段１に任意の画面を表示する。ここで、任意の画面とはプラントの配管を示す画面や、その配管の特定部分の温度や流量のトレンドの画面などがあるが、ここでは操作者が必要とする適当な画面という程度の意味である。
【００１５】
操作者が表示した画面の表示回数は、入出力制御部３を介して表示記録部４に記録される。この画面の表示回数は操作者に関連する情報になるので、これを記録する際には、予め記録しておいた操作者名の関連情報として記録する。
【００１６】
次に、操作者は、表示手段１と操作入力手段２を使用して表示画面上で任意の操作を行う。ここで任意の操作とは、配管を示す表示画面に現れている記号やアナログ値などをクリックすることを意味する。例えば、配管の中のポンプをクリックすると、ポンプが起動状態（ＯＮ）であるか、停止状態（ＯＦＦ）であるかが分かる、プラントからのデジタル入力信号の状態を表示したウインドウが表示される。また、アナログ値をクリックすると、アナログ値のトレンドがウインドウで表示される。
【００１７】
ここで、画面上の操作回数とは、表示画面上の特定のポンプなどを操作者がクリックした回数を意味しており、この操作回数が入出力制御部３を介して表示記録部４に記録される。この記録に際しても、上述した表示回数とともに、予め記憶しておいた操作者名の関連情報として記録する。
【００１８】
図２は表示記録部４の記録結果の例である。
操作者Ｗは、例えばプラントを運転する人である。図２に示すように、操作者Ｗは、画面ＡをＥ回表示し、画面Ａ上でＩ回の操作を行ったことが記録されている。同様に、画面Ｂ，Ｃ，Ｄ・・・に関しては、それぞれ、Ｆ回、Ｇ回、Ｈ回・・・表示され、それぞれの表示画面上で、Ｊ回、Ｋ回、Ｌ回・・・の操作が行われたことが記録されている。
【００１９】
操作者ＷＷは、例えばプラント運転全体を管理する人、すなわち運転をする操作者Ｗを管理する人であると想定することができる。運転をする人と管理する人とでは表示手段１に表示する画面は必ずしも一致しない。
図２の画面ＡＡ，ＢＢ，ＣＣ、ＤＤ・・・は、操作者ＷＷが表示した画面であり、それぞれの画面は、ＥＥ回、ＦＦ回、ＧＧ回、ＨＨ回・・・表示され、それぞれの表示画面上でＩＩ回、ＪＪ回、ＫＫ回、ＬＬ回・・・の操作が行われたことを示している。
【００２０】
この図２に示す表示回数と操作回数は、操作者Ｗまたは操作者ＷＷに関連して表示される３つの画面の選択をする際に用いられる他、後述するそれぞれの操作者に関連する第４の画面（関連画面）を算出する際にも用いられる。
【００２１】
次に、操作者は、操作入力手段２を介して、表示手段１に表示されたそれぞれの画面に対して表示回数重み係数を入力するとともに、表示図面上で任意の操作（例えばポンプのクリックなど）をする場合の重み付け（操作回数重み係数）を入力する。
【００２２】
ここで表示回数重み係数とは、表示されたそれぞれの画面に対して、操作者が、その重要度を「重み付け」するものであり、通常は「０」と「１」の間の範囲に設定される。
また、操作回数重み係数も、表示回数重み係数と同様に、表示画面上での操作（例えばポンプのクリック）の重要度を「重み付け」するものであり、同様に「０」と「１」の間の範囲に設定される。
【００２３】
操作者は、画面によっては、表示したものを見るだけで、全く操作する必要がない画面もあり、このような表示画面では表示回数重み係数は「１」に近く、操作回数重み係数は「０」に近い値となる。また、ポンプの起動状態や停止状態をしばしば監視する必要があったり、配管の特定箇所の温度を常時監視する必要がある場合の画面では、仮に表示回数重み係数は低くとも、操作回数重み係数は「１」に近くなるように設定される。
【００２４】
この入力された表示回数重み係数と操作回数重み係数は、入出力制御部３を介して表示操作重み係数テーブル６に記録される。これらの重み係数も、操作者に関連して表示される３つの画面の選択をする際に用いられるとともに、表示される３画面と関連する第４の画面（関連画面）を算出する際にも利用される。
【００２５】
図３は表示操作重み係数テーブル６の入力結果の例である。
操作者Ｗに関係する画面Ａ、Ｂ、Ｃ、Ｄ・・・を例として説明すると、画面Ａの表示回数重み係数はＭ、操作回数重み係数はＱである。同様に画面Ｂ、Ｃ、Ｄ・・・についてもそれぞれ表示回数重み係数はＮ、Ｏ、Ｐ・・・であり、操作回数重み係数はＲ、Ｓ、Ｔ・・・であることを示している。
【００２６】
次に、操作者は、操作入力手段２を使用して、関連画面重み係数を入力する。関連画面とは、例えば操作者Ｗを例にとって説明すると、画面Ａが配管の画面であれば、ある特定箇所の温度のトレンドグラフであったり、流量や圧力のトレンドグラフであったりする。図４では、関連画面（１）と関連画面（２）について異なる重み係数を入力するようにしている。つまり、関連画面（１）の重み係数はＵであり、関連画面（２）の重み係数はＶである。これらの重み係数は入出力制御部３を介して関連画面重み係数テーブル７に記録される。ここではＵ＞Ｖとする。
【００２７】
次に、操作者Ｗは、操作入力手段２を使用して、自分が表示したい画面Ａ、Ｂ、Ｃ、Ｄ・・・について、それぞれの画面毎に関連性の高い他の画面を関連画面（１）、関連画面（２）として入力する。例えば、画面Ａに関しては関連画面（１）として画面Ｘを選択し、関連画面（２）として画面Ｙを選択する。同様に、画面Ｂ、Ｃ、Ｄについては、それぞれ関連画面（１）として、画面Ｙ、Ｚ、Ｘを選択し、関連画面（２）として、画面Ｚ、Ｘ、Ｙを選択する。これらの関連画面（１）、（２）は入出力制御部３を介して関連画面テーブル８に記録される。図５は、関連画面テーブル８の入力結果の例である。
【００２８】
次に、図６に示すフローチャートと図２のブロック構成図及び図７、図８に示す計算チャートに基づいて、本例において各操作者に応じて優先的に表示する３つの画面の選定方法と、これら表示した３つの画面と関連する関連画面の選定方法について説明する。
【００２９】
まず、表示画面上で入力された操作者名Ｗによって不図示の最適画面呼び出しボタンが押下（クリック）される（ステップＳ１）。この最適画面呼び出しボタンの押下は、操作者Ｗにとって表示が望まれる４つの画面を選択するための開始操作である。
【００３０】
この最適画面の呼び出し要求を実施する際には、図２に示される表示記録部４に記録されている操作者名が選択され、入出力制御部３を介して演算処理部５に送信される。
そして、最適画面呼び出しボタンがクリックされたことを示す情報、つまり最適画面呼び出し機能の要求が入出力制御部３を介して演算処理部５に送信される。
【００３１】
この、最適画面呼び出し要求を受けた演算処理部５は、表示記録部４，表示操作重み係数テーブル６，関連画面重み係数テーブル７，関連画面テーブル８に記憶されている図２〜図４に示されるデータを使用して最適画面呼び出し処理を開始する。
【００３２】
すなわち、図６に示すように、最適画面の呼出しボタンが押されると、操作者Ｗに関連する複数の画面Ａ，Ｂ，Ｃ，Ｄ・・・の表示優先度が計算される（ステップＳ２）。具体的には、画面Ａの表示優先度ＡＡは、図７に示される演算式で計算される（ステップＳ２１）。
【００３３】
この演算において、演算処理部５は、表示操作重み係数テーブル６から画面Ａ、Ｂ、Ｃ、Ｄ・・・のそれぞれについて、表示された画面の表示回数重み係数Ｍ、Ｎ、Ｏ、Ｐ・・・と、操作回数重み係数Ｑ、Ｒ、Ｓ、Ｔ・・・を読み込む。
【００３４】
次に、これら読み込まれたデータに基づいて、演算処理部５は、図７の枠９で示される表示優先度の計算を行う。まず、表示された画面Ａに対して、表示優先度係数ＡＡの演算を行う。
表示優先度係数ＡＡは、表示された画面Ａの表示回数Ｅに表示回数重み係数Ｍを掛けた値と、操作回数Ｉに操作回数重み係数Ｑを掛けた値を足した値である。
【００３５】
画面Ｂ、画面Ｃ、画面Ｄ・・・のそれぞれの表示優先度ＢＢ、ＣＣ、ＤＤ・・・も、図７に示されるように同様な方法で計算される（ステップＳ２２〜２３）。
【００３６】
次に、表示した各画面の表示優先度係数を比較し、表示優先度係数の値が大きなものから順位をつける。この順位が表示される優先順位、つまり表示優先度となる。図７に示すように、各画面Ａ、Ｂ、Ｃ、Ｄ・・・の表示優先度はＡＡ＞ＢＢ＞ＣＣ＞ＤＤ・・・となるので、表示される３つの画面としては、表示優先度の高い順、つまり画面Ａ、画面Ｂ、画面Ｃが選択される。
【００３７】
このように、表示する３つの画面が決まると、演算処理部５は、表示優先度の高い３つの画面を表示手段１に表示する要求を入出力制御部３に送信する。図７の場合、表示優先度の高い３つの画面である画面Ａ，画面Ｂ，画面Ｃを表示手段１に表示する要求が入出力制御部３に送信されることになる。これを受けて、入出力制御部３は、演算処理部５から送信された表示優先度の高い３つの画面Ａ，Ｂ，Ｃを表示手段１に表示する制御を行う（ステップＳ３）。
【００３８】
次に、演算処理部５は、表示された上記３つの画面のそれぞれについて関連する２つの関連画面（１）（２）との関連度を計算する（ステップＳ４）。まず、演算処理部５は、表示優先度の高い３つの画面の関連画面（１）（２）を関連画面テーブル８から読み込む。図５に示すように、表示優先度の高い３つの画面は、画面Ａ，画面Ｂ，画面Ｃであるため、関連画面（１）は画面Ｘ，画面Ｙ，画面Ｚとなる。また、画面Ａ，画面Ｂ，画面Ｃの関連画面（２）は、それぞれ画面Ｙ，画面Ｚ，画面Ｘとなる。
【００３９】
ステップＳ４の関連度計算の中で、演算処理部５は、まず関連画面（１）の関連度係数を計算する（ステップＳ４１）。すなわち、表示優先度の高い３つの画面Ａ、Ｂ、Ｃのそれぞれについて、関連画面（１）Ｘ、Ｙ、Ｚの関連度係数ＡＡ１、ＢＢ１、ＣＣ１を演算する。この関連画面（１）の関連度係数ＡＡ１、ＢＢ１、ＣＣ１は、図８の枠１０に示すように、関連画面（１）Ｘ、Ｙ、Ｚが関連する表示優先度の高い画面の表示優先度係数ＡＡ、ＢＢ、ＣＣと関連画面重み係数Ｕを掛けた値である。
【００４０】
同様に、図８の枠１１で示されるように、画面Ａ、Ｂ、Ｃの関連画面（２）Ｙ、Ｚ、Ｘの関連度係数ＡＡ２、ＢＢ２、ＣＣ２が演算される（ステップＳ４２）。
すなわち、関連画面（２）の関連画面重み係数はＶであるから、画面Ａ，Ｂ，Ｃの表示優先度ＡＡ，ＢＢ，ＣＣに関連画面（２）の重み係数Ｖをかけて、関連画面（２）の関連度係数ＡＡ２，ＢＢ２，ＣＣ２が求められる。
【００４１】
次に、図６のフローチャートにおいて、ステップＳ４で求められた表示される３つの画面に関連する関連画面Ｘ，Ｙ，Ｚのそれぞれの画面について、関連度係数ＸＸ、ＹＹ、ＺＺが計算される（ステップＳ５）。すなわち、関連画面Ｘ，Ｙ，Ｚの関連度係数ＸＸ、ＹＹ、ＺＺは、関連画面（１）の関連度係数ＡＡ１、ＢＢ１、ＣＣ１と、関連画面（２）の関連度係数ＡＡ２、ＢＢ２、ＣＣ２を足した値として求められる。その後、各画面Ｘ、Ｙ、Ｚの関連度係数ＸＸ、ＹＹ、ＺＺの大小を比較し、関連度係数の値が大きなものから順位をつける。この順位が関連度である。図８では、枠１２で示すように、ＸＸ＞ＹＹ＞ＺＺとなるので、関連画面Ｘが第４の画面として表示手段１に表示される。
【００４２】
すなわち、演算処理部５は、画面Ｘを関連度の高い１つの画面として表示手段１に表示する要求を入出力制御部３に送信する。入出力制御部３は、演算処理部５からの上記要求を受けて、関連度の高い１つの画面Ｘを表示手段１に表示する（ステップＳ６）。
【００４３】
なお、上記の説明では、関連画面を関連画面（１）と関連画面（２）の２つとしたが、関連画面を３つ以上とすることも可能である。
【００４４】
図９は、本発明による最適画面呼び出し機能を要求した際の表示手段１に表示される画面の変化の一実施の形態を示すものである。最適画面呼び出し機能を要求し、操作者名を選択したことにより、その操作者の表示頻度の高い３つの画面と、前記の３つの画面に最も関連性の高い１つの画面が表示手段１に表示される。
【００４５】
以上説明したように、本発明によればプラント監視表示装置において、そのプラントを操作する操作者にとって最適な４画面の表示を行うことができる。
【図面の簡単な説明】
【００４６】
【図１】本発明によるプラント監視表示装置の一実施の形態例を示すブロック構成図である。
【図２】図１における表示記録部４の記録結果を示す図である。
【図３】図１における表示操作重み係数テーブル６の記録内容を示す図である。
【図４】図１における関連画面重み係数テーブル７の記録内容を示す図である。
【図５】図１における関連画面テーブル８の記録内容を示す図である。
【図６】本発明の実施の形態例において、最適画面を呼び出すための手順を示すフローチャートである。
【図７】本発明の実施形態例の演算処理部５による表示優先度の演算式およびその演算結果を示す図である。
【図８】本発明の実施形態例の演算処理部５により関連画面の関連度を計算するための演算式およびその演算結果を示す図である。
【図９】本発明の実施形態例において、最適画面呼び出しを実行した場合に、表示手段１に表示される画面の変化を示す図である。
【符号の説明】
【００４７】
１・・・表示手段、２・・・操作入力手段、３・・・入出力制御部、４・・・表示記録部、５・・・演算処理部、６・・・表示操作重み係数テーブル、７・・・関連画面重み係数テーブル、８・・・関連画面テーブル、９・・・表示優先度計算、１０・・・関連画面（１）関連度係数計算、１１・・・関連画面（２）関連度係数計算、１２・・・関連度計算
【図１】
2008250514.tif 000003
【図２】
2008250514.tif 000004
【図３】
2008250514.tif 000005
【図４】
2008250514.tif 000006
【図５】
2008250514.tif 000007
【図６】
2008250514.tif 000008
【図７】
2008250514.tif 000009
【図８】
2008250514.tif 000010
【図９】
2008250514.tif 000011